(57)【要約】漏斗状の収納溝１を備え、収納溝底部の開口部には開閉式の蓋体２を設け、収納溝には直立の中空状スリーブ１２を設置し、スリーブには固定部材３を穿設し、固定部材には蓋体を支持させるストッパー３３を設け、固定部材の下方には薄片状のアーム４を連結し、固定部材の上方にはレバー５を挿設して自動供給構造を構成する。自動供給構造を食物料理機のコップ６１の上に置くと、大豆等の食材を収納溝内へ入れ、コップに所定量の水を入れた後食物料理機の起動時間を設定し、起動時間になるとリーマーがモーターに連動して回転し、コップの水を攪拌させて渦を形成させ、アームを作動させて蓋体を開き、蓋体を収納溝底部のロックから外し、収納溝を開口部状にし、収納溝内の食材をコップの中へ入れ、食物料理機の設定中の全自動操作を用いて、食材を自動で加熱し、研磨して豆乳を作り、先に大豆を水に浸す必要がなく、食物料理機の使用を更に便利にすることができる。
2013528429.tif 000002
【特許請求の範囲】
【請求項１】
納置空間を有し、一方には直立の中空状スリーブが設けられる収納溝と、
収納溝底部の開口部に連結され、開閉式になる蓋体と、
縦レバーが設けられ、前記縦レバーの下方には板体が設置され、前記板体の一方には位置決め孔が設けられ、前記板体の他方にはストッパーが設けられる固定部材と、
薄片状を呈し、上縁には係合部が設けられて固定部材の板体の位置決め孔に挿入されるアームと、
規則的な、或いは不規則な波状を呈し、その底部には挿入ピンが設けられるレバーと、を備え、
前述の部材の組み合わせにより、前記固定部材の縦レバーは収納溝の中空状スリーブに穿設され、縦レバーが中空状スリーブを貫通させた後、レバーを前記凹溝へ挿設させて自動供給構造を構成させ、常態では前記固定部材のストッパーに蓋体を支持させ、蓋体に収納溝の底部の開口部を閉じさせ、前記自動供給構造を食物料理機のコップ内へ納置させ、食材を収納溝内へ載置させ、コップに所定量の水を入れた後食物料理機の起動時間を設定させて、設定された起動時間が来ると、食物料理機のリーマーがモーターにより連動されて回転し、コップの水を攪拌させて流動させ渦を形成させ、アームを作動させて固定部材のストレッチャーを連動させ蓋体を開き下へ向け開かせて、収納溝内の食材をコップの中へ入れることを特徴とする食物料理機自動供給構造。
【請求項２】
前記収納溝底部の開口部の側辺には対称になるホックが設けられ、前記蓋体の側辺には収納溝のホックに対応させる固定孔が設けられ、収納溝のホックを固定孔に係合させて蓋体の開閉を構成させることを特徴とする、請求項１に記載の食物料理機自動供給構造。
【請求項３】
前記固定部材の縦レバーの上縁の径は大きく設計されると共に、凹溝を設け、縦レバーを収納溝のスリーブに穿設させて、凹溝の弾性によりこれを通過させて穿設させた後に定位させることを特徴とする、請求項１に記載の食物料理機自動供給構造。
【請求項４】
前記アームの上縁には対称になる凹溝が設けられる係合部が設置され、適度な弾性を構成させてアームの係合部を固定部材板体の位置決め孔に挿設させ、凹溝の適度な弾性により嵌入させて定位させることを特徴とする、請求項１に記載の食物料理機自動供給構造。
【発明の詳細な説明】
【技術分野】
【０００１】
本発明は、食物料理機自動供給構造に関し、より詳しくは、設定された起動時間が来ると、機体のモーターがリーマーを連動させて回転させコップの水を攪拌させて流動させ、収納溝の底部を開き、収納溝内の食材をコップの中へ入れ豆や他の漿液を精製させて、食物料理機の使用を更に便利にさせる自動供給構造に関する。
【背景技術】
【０００２】
一般の豆乳製作方式は、まず大豆を水に一夜浸した後大豆を研磨して漿液を精製させ、濾過及び煮沸を行う。
【先行技術文献】
【特許文献】
【０００３】
【特許文献１】なし
【発明の概要】
【発明が解決しようとする課題】
【０００４】
しかしながら、前述した従来の技術では、大豆を水に一晩浸す必要があり、これでは大豆が変質しやすく、特に夏はすぐに酸敗してしまい、豆乳製造の品質が落ち、食の衛生にも影響を及ぼした。
【０００５】
そこで、本発明者は上記の欠点が改善可能と考え、鋭意検討を重ねた結果、合理的設計で上記の課題を効果的に改善する本発明の提案に至った。
【０００６】
本発明は、このような従来の問題に鑑みてなされたものである。上記課題解決のため、本発明は、食物料理機自動供給構造を提供することを主目的とする。
【０００７】
食物料理機に設定された起動時間が来ると、機体のモーターが回転しリーマーを連動させて回転させコップの水を攪拌させて流動させ、収納溝内の食材をコップの中へ入れ、食物料理機に設定される全自動操作を利用し、食材(例えば以大豆から豆乳を製作する)を自動で加熱させ、研磨させて豆乳を製作させ、先に大豆を水に浸す必要がなくなり、食物料理機の使用を更に便利にさせる。
【課題を解決するための手段】
【０００８】
上述した課題を解決し、目的を達成するために、本発明に係る食物料理機自動供給構造は、納置空間を有し、一方には直立の中空状スリーブが設けられる収納溝と、収納溝底部の開口部に連結され、開閉式になる蓋体と、縦レバーが設けられ、前記縦レバーの下方には板体が設置され、前記板体の一方には位置決め孔が設けられ、前記板体の他方にはストッパーが設けられる固定部材と、薄片状を呈し、上縁には係合部が設けられて固定部材の板体の位置決め孔に挿入されるアームと、規則的な、或いは不規則な波状を呈し、その底部には挿入ピンが設けられるレバーを備え、
前述の部材の組み合わせにより、前記固定部材の縦レバーは収納溝の中空状スリーブに穿設され、縦レバーが中空状スリーブを貫通させた後、レバーを前記凹溝へ挿設させて自動供給構造を構成させ、常態では前記固定部材のストッパーに蓋体を支持させ、蓋体に収納溝の底部の開口部を閉じさせ、前記自動供給構造を食物料理機のコップ内へ納置させ、食材を収納溝内へ載置させ、コップに所定量の水を入れた後食物料理機の起動時間を設定させて、設定された起動時間が来ると、食物料理機のリーマーがモーターにより連動されて回転し、コップの水を攪拌させて流動させ渦を形成させ、アームを作動させて固定部材のストレッチャーを連動させ蓋体を開き下へ向け開かせて、収納溝内の食材をコップの中へ入れることを特徴とする。
【０００９】
また、前記収納溝底部の開口部の側辺には対称になるホックが設けられ、前記蓋体の側辺には収納溝のホックに対応させる固定孔が設けられ、収納溝のホックを固定孔に係合させて蓋体の開閉を構成させることを特徴とする食物料理機自動供給構造。
【００１０】
また、前記固定部材の縦レバーの上縁の径は大きく設計されると共に、凹溝を設け、縦レバーを収納溝のスリーブに穿設させて、凹溝の弾性によりこれを通過させて穿設させた後に定位させる事ことを特徴とする食物料理機自動供給構造。
【００１１】
さらに、前記アームの上縁には対称になる凹溝が設けられる係合部が設置され、適度な弾性を構成させてアームの係合部を固定部材板体の位置決め孔に挿設させ、凹溝の適度な弾性により嵌入させて定位させる事ことを特徴とする食物料理機自動供給構造。
【発明の効果】
【００１２】
本発明によれば、前記自動供給構造置を食物料理機のコップの上へ設置させ、大豆、五穀米、もち米、ゴマ、ピーナッツ等の食材を収納溝内へ入れ、コップへ所定量の水を入れ食物料理機の起動時間を設定させ、設定された起動時間が来ると、機体のリーマーはモーターに連動されて回転し、コップの水を攪拌させて流動させ、渦を形成させてアームを作動させストッパーを連動させて支持させる蓋体から外させ、蓋体を下へ向けて開かせ、収納溝内の食材をコップの中へ入れ、食物料理機に設定される全自動操作を利用し、食材(例えば以大豆から豆乳を製作させる)を自動で加熱させ、研磨させて豆乳を製作させ、先に大豆を水に浸す必要がなくなり、食物料理機の使用を更に便利にさせることができる。
【図面の簡単な説明】
【００１３】
【図１】本発明の傾斜図である。
【図２】本発明の傾斜分解図である。
【図３】本発明に係る実施形態による使用の概略図である。
【図４】本発明に係る実施形態による使用の概略図である。
【図５】本発明に係る実施形態による動作の概略図である。
【図６】本発明に係る実施形態による動作の概略図である。
【発明を実施するための形態】
【００１４】
以下に図面を参照して、本発明を実施するための形態について、詳細に説明する。なお、本発明は、以下に説明する実施形態に限定されるものではない。
【００１５】
まず、本発明の食物料理機自動供給構造の一実施形態について説明する。
本発明の一実施形態の構成を図１から図６に示す。図１及び図２は本発明の傾斜図及び傾斜分解図である。
【００１６】
図によると、本発明は漏斗状の収納溝１、蓋体２、固定部材３、アーム４及びレバー５を主に備える。前記収納溝１の底部の開口部の側辺には対称になるホック１１が設けられる。収納溝１の一方には直立の中空状スリーブ１２が設置される。前記蓋体２の側辺には収納溝１のホック１１に対応させる固定孔２１が設けられる。収納溝１のホック１１を固定孔２１に係合させて蓋体２の開閉を構成させ、前記固定部材３には縦レバー３１及び凹溝３１１が設置される。前記縦レバー３１の上縁は大きく設計され、縦レバー３１の下方には板体３２が設けられ、前記板体３２の一方には位置決め孔３２１が設置される。前記板体３２の他方にはストッパー３３が設置され、前記アーム４は薄片状を呈し、上縁には係合部４１が設けられ、係合部４１には対称になる凹溝４１１が設けられて適度な弾性を構成させ、アーム４は係合部４１を固定部材３の板体３２の位置決め孔３２１に挿設させ、挿設時に凹溝４１１により形成される適度な弾性により嵌入させて定位させ、前記レバー５は規則的、或いは不規則な波状を呈し、その底部には挿入ピン５１が設けられる。
【００１７】
前述の部材的組み合わせにより、前記固定部材３の縦レバー３１は収納溝１の中空状スリーブ１２に穿設され、穿設時に凹溝３１１により形成される弾性により固定部材３の縦レバー３１を通過させて穿設後に定位させ、縦レバー３１は中空状スリーブ１２を貫通後、レバー５を前記凹溝３１１に挿設させて自動供給構造を構成させる。常態では、前記固定部材３のストッパー３３は蓋体２を支持させ、蓋体２に収納溝１の底部の開口部を閉じさせ、前記自動供給構造を食物料理機のコップの上へ設置させ、大豆、五穀米、もち米、ゴマ、ピーナッツ等の食材を収納溝１内へ入れ、コップにまず一定量の水を入れて食物料理機の起動時間を設定させ、設定された起動時間が来ると食物料理機の機体のリーマーはモーターに連動されて回転し、コップの水を攪拌させて流動させ、渦を形成させてアーム４を作動させ、固定部材３のストレッチャー３３を連動させて蓋体２を開け蓋体２を下に向けて開かせて、収納溝１内の食材をコップの中へ入れ豆乳或いは他の漿液を精製させ、食物料理機の使用を更に便利にさせる。
【００１８】
図３及び図４は本発明に係る実施形態による使用の概略図である。図によると、本発明の使用時には、まず前記固定部材３のストッパー３３に蓋体２の下方を支持させ、蓋体２により収納溝１の底部を閉じさせる。続いて前記自動供給構造を食物料理機６のコップ６１の上へ設置させ、大豆７、五穀米、もち米、ゴマ、ピーナッツ等の食材を収納溝１内へ入れ、コップ６１に所定量の水を入れ、食物料理機６の起動時間を設定させ、食物料理機に設定される全自動操作を利用し、食材(例えば大豆から豆乳を製作させる)を自動で加熱させ、研磨させて豆乳を製作させ、先に大豆７を水に浸す必要がなくなる。
【００１９】
図５及び図６は本発明に係る実施形態による動作の概略図である。図によれば、本発明は前述のように自動供給構造を食物料理機６のコップ６１内に設置させ、大豆７、五穀米、もち米、ゴマ、ピーナッツ等の食材を収納溝１内へ入れ、コップ６１にまず所定量の水を入れ、食物料理機６に起動時間を設定させる。設定された起動時間が来ると、食物料理機６のリーマーはモーターに連動されて回転され、コップ６１の水を攪拌させて流動させ、渦を形成させてアーム４を作動させて回転させ、前記アーム４と固定部材３とが連結されることで固定部材３のストレッチャー３３を連動させて擺動させ、蓋体２を開け、蓋体２自体と大豆７との重量により下に向けて開かせ、収納溝１内の大豆７等の食材を底部の開口部からコップ６１の中へ入れ、食物料理機に設定される全自動操作を利用し、食材(例えば大豆から豆乳を製作させる)を自動で加熱させ、研磨させて豆乳を製作させ、先に大豆７を水に浸す必要がなくなる。前記固定部材３の上方にはレバー５が挿設され、前記レバー５をアーム４に連動させて回転させ、収納溝１内の大豆７を攪拌させ、大豆７を食物料理機６のコップ６１へ入れるのがよりスムーズになり、食物料理機の使用を更に便利にさせる。食物料理機は全自動操作を有し、食材(例えば大豆から豆乳を製作させる)を自動で加熱させ、研磨させて豆乳を製作させ、鍋を汚したり吹きこぼれたりするのを防ぎ、製作される豆乳は更に美味しくなる。
【００２０】
以上を総合すると、本発明は収納溝及び開閉式の蓋体を設ける食物料理機の自動供給構造であり、食物料理機に設定された起動時間が来ると、機体のモーターによりリーマーを連動させてコップの水を攪拌させて流動させ、収納溝底部の開口部を開け、収納溝内の大豆等の食材をコップの中へ入れて豆乳や他の漿液の精製を行い、前の晩に大豆を水に浸す必要がなくなり、食物料理機の使用を更に便利にさせる。
【００２１】
上述の実施形態は本発明の技術思想と特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２２】
１：収納溝
２：蓋体
３：固定部材
４：アーム
５：レバー
６：食物料理機
７：大豆
１１：ホック
１２：中空状スリーブ
２１：固定孔
３１：縦レバー
３２：板体
３３：ストッパー
４１：係合部
５１：挿入ピン
６１：コップ
３１１：凹溝
３２１：位置決め孔
４１１：凹溝
【図１】
2013528429.tif 000003
【図２】
2013528429.tif 000004
【図３】
2013528429.tif 000005
【図４】
2013528429.tif 000006
【図５】
2013528429.tif 000007
【図６】
2013528429.tif 000008
【国際調査報告】
2013528429.tif 000009
2013528429.tif 000010
2013528429.tif 000011
2013528429.tif 000012